(57)【要約】【課題】泡吐出容器から吐出させた場合に低温条件でも良好な泡立ちおよび泡の質が得られ、洗浄力に優れた液体洗浄剤組成物を提供する。【解決手段】内容液を収容する容器本体と、前記容器本体に収容される内容液と空気とを１／５〜１／１０の体積比（内容液／空気）で混合し、かつ内容液を泡状に吐出させる泡吐出ポンプとを備える泡吐出容器に収容される前記内容液を構成する液体洗浄剤組成物であって、アニオン界面活性剤（Ａ）を５〜３５質量％と、アミンオキサイド型界面活性剤（Ｂ）を１〜１０質量％と、粘度調整剤（Ｃ）とを含有し、５℃での粘度が１５０〜２７０ｍＰａ・ｓであり、かつ引火点が４０℃以上であることを特徴とする液体洗浄剤組成物。【選択図】なし【特許請求の範囲】
【請求項１】
内容液を収容する容器本体と、前記容器本体に収容される内容液と空気とを１／５〜１／１０の体積比（内容液／空気）で混合し、かつ内容液を泡状に吐出させる泡吐出ポンプとを備える泡吐出容器に収容される前記内容液を構成する液体洗浄剤組成物であって、
アニオン界面活性剤（Ａ）を５〜３５質量％と、
アミンオキサイド型界面活性剤（Ｂ）を１〜１０質量％と、
粘度調整剤（Ｃ）とを含有し、５℃での粘度が１５０〜２７０ｍＰａ・ｓであり、かつ引火点が４０℃以上であることを特徴とする液体洗浄剤組成物。
【請求項２】
前記アニオン界面活性剤（Ａ）がアルカンスルホン酸塩を含む請求項１に記載の液体洗浄剤組成物。
【請求項３】
グリコール化合物（Ｄ）をさらに含有する請求項１または２に記載の液体洗浄剤組成物。
【請求項４】
マグネシウム化合物（Ｅ）とスルファミン酸（Ｆ）とをさらに含有する請求項１〜３のいずれかに記載の液体洗浄剤組成物。
【請求項５】
３０〜３００ｍｅｓｈの目開きの泡形成用の網状部材を有する前記泡吐出ポンプを備える前記泡吐出容器に収容される請求項１〜４のいずれかに記載の液体洗浄剤組成物。
【発明の詳細な説明】
【技術分野】
【０００１】
本発明は、液体洗浄剤組成物に関するものであり、特に、台所の食器、調理器具等の洗浄に好適な液体洗浄剤組成物に関するものである。
【背景技術】
【０００２】
液体洗浄剤組成物は、洗濯物；皿などの硬質表面；毛髪、ヒトまたは動物の皮膚等の対象物を洗浄する際に使用される。かかる液体洗浄剤組成物としては、一般に、界面活性剤及び溶媒を含有し、たとえば希釈アルコール系洗浄剤組成物のように極めて粘度が低いものからペースト状またはジェル状のように粘度が高いものが存在する。また、かかる液体洗浄剤組成物は、一般に、低温になるほど高粘度になることが知られている。
【０００３】
液体洗浄剤組成物は、市場において通常、容器に収容されて提供されている。特に、液体洗浄剤組成物のなかでもハンドソープ等は、泡立てる手間がない等の利点があることから、容器本体と、泡吐出ポンプ（非エアゾール、非制動型泡生成ディスペンサーなど）とを備える泡吐出容器に収容されて提供されている。
泡吐出容器に収容される液体洗浄剤組成物としては、たとえば、界面活性剤と溶媒と補助洗剤成分とを含有し、５℃での粘度が約１５０ｍＰａ・ｓ未満である、泡生成ディスペンサーと共に使用される液体洗剤組成物が提案されている（特許文献１参照）。
【０００４】
液体洗浄剤組成物としては、従来、アニオン界面活性剤と、多価金属イオンとが併用された液体洗浄剤組成物が提案されている（たとえば、特許文献２、３参照）。
また、酵素と、アニオン界面活性剤と、マグネシウムイオンとを含有する液体洗浄剤組成物が提案されている（たとえば、特許文献４参照）。
【特許文献１】特表２００６−５２１４１７号公報
【特許文献２】特開２００４−１９６９８７号公報
【特許文献３】特開２００１−１７２６９６号公報
【特許文献４】特表平１１−５０１９８１号公報
【発明の開示】
【発明が解決しようとする課題】
【０００５】
従来の泡吐出ポンプを備える泡吐出容器においては、液体洗浄剤組成物の粘度が高粘度になるほど泡を上手く作ることができない問題がある。具体的には、泡吐出容器に、室内で想定される低温条件で高粘度となるような液体洗浄剤組成物を収容して吐出させた場合、泡立ち（泡の量）が足りず、泡の質が悪い（泡のキメが荒い、泡吐出容器のノズル口から飛び散る等）等、泡を上手く作ることができない不具合がある。
特許文献１の記載によれば、たとえば、２０℃での粘度が６０ｍＰａ・ｓであり、５℃での粘度が１９０ｍＰａ・ｓである液体洗剤組成物（比較例Ｄ）は、粘度−温度勾配が許容不可能であり、泡を上手く作ることができない。このように、従来、５℃での粘度が１５０ｍＰａ・ｓ以上になる液体洗浄剤組成物は、泡吐出容器から吐出させても、泡を上手く作ることができなかった。
したがって、室温での粘度が１００ｍＰａ・ｓ前後の一般的な台所用液体洗浄剤組成物は、５℃での粘度が２８０〜５００ｍＰａ・ｓと高粘度になるため、泡吐出容器に収容された液体洗剤製品としては提供することができなかった。
【０００６】
液体洗浄剤組成物の粘度は、エタノールのような揮発性または希薄溶媒を添加することによって容易に低減させることができる。
一方、消費者が使用する製品においては、安全上の理由から、揮発の可能性のある組成物においては発火のおそれをなくすため、該組成物の引火点が高くなるように調整されている。
液体洗浄剤組成物の粘度を低減させるため、エタノールを添加していくと、液体洗浄剤組成物の引火点は低下していき、上記理由などから、多数の洗浄方法、特に家庭においての使用が制限される場合があった。また、従来、引火点は、単に販売前の最終点検として確認されるにすぎない項目とされてきた。
したがって、低温条件で高粘度になる液体洗浄剤組成物が泡吐出容器に収容され、かつ安全な液体洗剤製品として提供するためには、低温条件でも液体洗浄剤組成物の粘度が高くなりにくいこと、泡生成性の高い泡吐出ポンプを備える泡吐出容器を使用すること、引火点を制御すること等を、製品の開発当初から考慮し、液体洗浄剤組成物の組成を設計することが重要である。
【０００７】
また、液体洗浄剤組成物においては、近年、容器サイズのコンパクト化の普及、安全性を重視する傾向の高まり、またはタッパ容器等の汚れの落ちにくい食器が増えていることを鑑み、少量の使用により、油、ほこり、泥汚れ等を除去できることが求められている。
しかしながら、特許文献２〜４に記載の液体洗浄剤組成物は、たとえばタッパ容器等に付着した油性汚れに対する洗浄力が充分ではない。
【０００８】
本発明は、上記事情に鑑みてなされたものであり、泡吐出容器から吐出させた場合に低温条件でも良好な泡立ちおよび泡の質が得られ、洗浄力に優れた液体洗浄剤組成物を提供することを課題とする。
【課題を解決するための手段】
【０００９】
前記課題を解決するために、本発明においては、内容液を収容する容器本体と、前記容器本体に収容される内容液と空気とを１／５〜１／１０の体積比（内容液／空気）で混合し、かつ内容液を泡状に吐出させる泡吐出ポンプとを備える泡吐出容器に収容される前記内容液を構成する液体洗浄剤組成物であって、アニオン界面活性剤（Ａ）を５〜３５質量％と、アミンオキサイド型界面活性剤（Ｂ）を１〜１０質量％と、粘度調整剤（Ｃ）とを含有し、５℃での粘度が１５０〜２７０ｍＰａ・ｓであり、かつ引火点が４０℃以上であることを特徴とする液体洗浄剤組成物を提案する。
【００１０】
また、本発明の液体洗浄剤組成物においては、前記アニオン界面活性剤（Ａ）がアルカンスルホン酸塩を含むことが好ましい。
また、本発明の液体洗浄剤組成物においては、グリコール化合物（Ｄ）をさらに含有することが好ましい。
また、本発明の液体洗浄剤組成物においては、マグネシウム化合物（Ｅ）とスルファミン酸（Ｆ）とをさらに含有することが好ましい。
また、本発明の液体洗浄剤組成物は、３０〜３００ｍｅｓｈの目開きの泡形成用の網状部材を有する前記泡吐出ポンプを備える前記泡吐出容器に収容されることが好ましい。
【発明の効果】
【００１１】
本発明によれば、泡吐出容器から吐出させた場合に低温条件でも良好な泡立ちおよび泡の質が得られ、洗浄力に優れた液体洗浄剤組成物を提供することができる。
【発明を実施するための最良の形態】
【００１２】
≪液体洗浄剤組成物≫
本発明の液体洗浄剤組成物は、特定の泡吐出容器に収容されるものであって、アニオン界面活性剤（Ａ）（以下、（Ａ）成分という。）と、アミンオキサイド型界面活性剤（Ｂ）（以下、（Ｂ）成分という。）と、粘度調整剤（Ｃ）（以下、（Ｃ）成分という。）とを含有するものである。
【００１３】
＜液体洗浄剤組成物＞
本発明の液体洗浄剤組成物は、前記（Ａ）成分と、前記（Ｂ）成分と、前記（Ｃ）成分とを含有する。
また、本発明の液体洗浄剤組成物においては、グリコール化合物（Ｄ）（以下、（Ｄ）成分という。）をさらに含有することが好ましい。
また、本発明の液体洗浄剤組成物においては、マグネシウム化合物（Ｅ）（以下、（Ｅ）成分という。）と、スルファミン酸（Ｆ）（以下、（Ｆ）成分という。）とをさらに含有することが好ましい。
【００１４】
・（Ａ）成分
本発明において、（Ａ）成分はアニオン界面活性剤である。
（Ａ）成分としては、大別すると、カルボン酸塩タイプ、スルホン酸塩タイプ、硫酸エステル塩タイプ、およびリン酸エステルタイプのものが挙げられ、スルホン酸塩タイプのもの、硫酸エステル塩タイプのものが好ましい。
塩としては、ナトリウム塩、カリウム塩等のアルカリ金属塩；カルシウム塩、マグネシウム塩等のアルカリ土類金属塩；トリエタノールアミン等のアルカノールアミン塩、またはアンモニウム塩が挙げられ、アルカリ金属塩が好ましい。
【００１５】
スルホン酸塩タイプの（Ａ）成分としては、アルキルベンゼンスルホン酸塩、アルカンスルホン酸塩、α−オレフィンスルホン酸塩、α−スルホ脂肪酸アルキルエステル塩等が挙げられる。なかでも、本発明の効果、液体洗浄剤組成物の安定性の観点から、アルカンスルホン酸塩が好ましく、二級アルカンスルホン酸塩がより好ましい。
【００１６】
アルカンスルホン酸塩は、パラフィンスルホン酸塩とも呼ばれ、他のアニオン界面活性剤に比べ、洗浄力、泡立ち性、手肌マイルド性、耐硬水性の点で優れている。
本発明において好適に用いることができるアルカンスルホン酸塩としては、たとえば、１分子当り１０〜２１個の炭素原子、好ましくは少なくとも８０質量％以上、より好ましくは少なくとも９０質量％以上が１分子当り１０〜１４個の炭素原子をもつ二級アルキルスルホン酸塩と、少量の一級アルキルスルホン酸塩、ジスルホン酸塩、またはポリスルホン酸塩との混合物が挙げられる。
【００１７】
硫酸エステル塩タイプの（Ａ）成分としては、アルキル硫酸エステル塩、アルケニル硫酸エステル塩、ポリオキシエチレンアルキル硫酸エステル塩、ポリオキシエチレンアルケニル硫酸エステル塩等が挙げられる。なかでも、本発明の効果、液体洗浄剤組成物の安定性の観点から、ポリオキシエチレンアルキル硫酸エステル塩が好ましい。
【００１８】
ポリオキシエチレンアルキルエーテル硫酸エステル塩の好適なものとしては、下記一般式（１）で表される化合物が例示できる。
【００１９】
【化１】
2008214403.tif 000002
［式（１）中、Ｒ１は炭素数８〜１８のアルキル基であり；ｎ１はエチレンオキサイドの平均付加モル数を示し、１〜６である。Ｍはアルカリ金属原子、アルカリ土類金属原子、アルカノールアミン、またはアンモニウムである。］
【００２０】
前記一般式（１）中、Ｒ１は、炭素数８〜１８のアルキル基である。
Ｒ１において、アルキル基は、直鎖状であってもよく、分岐鎖状であってもよい。
Ｒ１において、炭素数は８〜１８であり、１０〜１６が好ましく、１２〜１３がより好ましい。Ｒ1の炭素数が８以上であると、疎水性が高まるため、洗浄力が向上する。一方、Ｒ1の炭素数が１８以下であれば、化合物自体の溶解性が良好となるため、保存時における析出が抑制される。
ただし、Ｒ１は、原料である高級アルコールに起因するため、工業的に入手が容易な下記（ａ）〜（ｅ）から選択されることが好ましい。
（ａ）シェルケミカルズ社製、商品名  ネオドール２３（分岐率：２０質量％）。これは、ｎ−オレフィンから改良オキソ法により生成し、精留したものである。
（ｂ）ブテンの３量体からオキソ法により得られる炭素数１３アルコール（分岐率：１００質量％）。
（ｃ）中鎖アルコールからガーベット反応により得られる高級アルコール（分岐率：１００質量％）。
（ｄ）Ｓａｓｏｌ社製、商品名  Ｓａｆｏｌ２３（分岐率：５０質量％）。これは、石炭のガス化から得られるオレフィンをオキソ法によりアルコールを得て、更に水素化したものである。
（ｅ）天然油脂から合成された天然系高級アルコール（分岐率：０質量％）。
なお、「分岐率」とは、全炭素数に対する分岐鎖を構成する炭素数の割合を示す。
【００２１】
ｎ１は、エチレンオキサイドの平均付加モル数を示し、１〜６であり、油性汚れに対する洗浄力の点から、１〜４が好ましく、１〜３がより好ましい。
Ｍは、アルカリ金属原子、アルカリ土類金属原子、アルカノールアミン、またはアンモニウムである。
アルカリ金属原子としては、ナトリウム、カリウム等が挙げられる。
アルカリ土類金属原子としては、カルシウム、マグネシウム等が挙げられる。
アルカノールアミンとしては、トリエタノールアミン等が挙げられる。
上記のなかでも、Ｍとしては、アルカリ金属原子が好ましく、ナトリウムが特に好ましい。
【００２２】
前記一般式（１）で表されるポリオキシエチレンアルキルエーテル硫酸エステル塩は、たとえば以下のようにして製造できる。
前記（ａ）〜（ｅ）から選択される高級アルコールに、エチレンオキサイドを付加させてポリオキシエチレンアルキルエーテル（アルコールエトキシレート）を得る。
得られたポリオキシエチレンアルキルエーテルを、サルファンでスルホン化あるいは硫酸化することによりポリオキシエチレンアルキルエーテル硫酸エステル塩が製造できる。
エチレンオキサイドの付加モル数分布は、高級アルコールとエチレンオキサイドとを付加反応する場合の触媒によって変わる。一般的な触媒である水酸化ナトリウムや水酸化カリウムを用いると、エチレンオキサイドの付加モル数分布は広くなる。一方、特許第３３１２８８３号公報に記載のＡｌ／Ｍｇ／Ｍｎで構成される複合金属酸化物ルイス酸焼結固体触媒を用いると、エチレンオキサイドの付加モル数分布が狭くなる。
なかでも、エチレンオキサイドの付加モル数分布の狭いもの（たとえば、ナロー率が５５質量％以上のもの；特開２００６−１５２２８７号公報参照）を使用した方が、液体洗浄剤組成物の安定性、洗浄力の観点から好ましい。
【００２３】
ここで、本明細書において「ナロー率」とは、下記の数式（Ｓ）で表されるものを示す。
【００２４】
【数１】
2008214403.tif 000003
［式中、ｎｍａｘは全体のエチレンオキサイド付加体中に最も多く存在するエチレンオキサイド付加体のエチレンオキサイドの付加モル数を示す。ｉはエチレンオキサイドの付加モル数を示す。Ｙｉは全体のエチレンオキサイド付加体中に存在するエチレンオキサイドの付加モル数がｉであるエチレンオキサイド付加体の割合（質量％）を示す。］
【００２５】
（Ａ）成分は、１種または２種以上混合して用いることができる。
（Ａ）成分の含有量は、液体洗浄剤組成物中、５〜３５質量％であり、８〜３０質量％であることが好ましい。該含有量が５質量％以上であることにより、洗浄力、起泡力が向上する。一方、該含有量が３５質量％以下であれば、充分な洗浄力が得られる。
【００２６】
二級アルカンスルホン酸塩の含有量は、液体洗浄剤組成物中、１０質量％以下であることが好ましく、１〜８質量％であることがより好ましく、２〜６質量％であることがさらに好ましい。該含有量が１０質量％以下であると、良好な泡立ちと泡の質が得られるため、さらに好ましい。
ポリオキシエチレンアルキルエーテル硫酸エステル塩の含有量は、液体洗浄剤組成物中、５〜３５質量％であることが好ましく、５〜３０質量％であることがより好ましい。該含有量が５質量％以上であることにより、洗浄力、起泡力が向上する。一方、該含有量が３５質量％以下であれば、充分な洗浄力が得られる。
【００２７】
なお、（Ａ）成分は、使用場所、洗浄対象物などにより、上記大別された４つのタイプのなかから適宜選択することができる。
たとえば、台所用液体洗浄剤組成物の場合、スルホン酸塩タイプのもの、硫酸エステル塩タイプのものを使用することが好ましく、該組成物における主界面活性剤（全界面活性剤量に対し、好ましくは４０質量％以上）としてスルホン酸塩タイプのものおよび／または硫酸エステル塩タイプのものを使用することがより好ましい。
【００２８】
・（Ｂ）成分
本発明において、（Ｂ）成分は、半極性界面活性剤のアミンオキサイド型界面活性剤である。
（Ｂ）成分としては、アルキル基が直鎖状のものであってもよく、分岐鎖状のものであってもよい。アルキル基の炭素数は、洗浄力の観点から、８〜１６が好ましく、１０〜１４がより好ましい。
（Ｂ）成分として具体的には、アルキルジメチルアミンオキサイド、アルカノイルアミドアルキルジメチルアミンオキサイド、アルキルジエチルアミンオキサイド等が挙げられる。
（Ｂ）成分は、１種または２種以上混合して用いることができる。
（Ｂ）成分の含有量は、液体洗浄剤組成物中、１〜１０質量％であり、１〜８質量％であることが好ましく、２〜６質量％であることがより好ましい。該含有量が１質量％以上であると、（Ａ）成分との相乗効果により洗浄力が向上する。一方、該含有量が１０質量％以下であれば、高粘度化が抑制され、液体洗浄剤組成物の流動性が良好となる。
【００２９】
・（Ｃ）成分
本発明において、（Ｃ）成分は粘度調整剤であり、本発明の液体洗浄剤組成物の粘度を主に調整する成分である。
（Ｃ）成分としては、たとえば、芳香族スルホン酸またはその塩、アルコール系溶剤等が挙げられる。
具体的には、トルエンスルホン酸、キシレンスルホン酸、クメンスルホン酸、またはそれらの塩；エタノール、種々の香料変性エタノール、イソプロパノール等が挙げられる。なかでも、本発明の効果、液体洗浄剤組成物の安定性の観点から、トルエンスルホン酸、キシレンスルホン酸、クメンスルホン酸、またはそれらの塩、エタノールが好ましい。
（Ｃ）成分は、１種または２種以上混合して用いることができる。
（Ｃ）成分の含有量は、液体洗浄剤組成物中、１〜１８質量％であることが好ましく、４〜１５質量％であることがより好ましい。該含有量が１質量％以上であると、液体洗浄剤組成物の粘度を低減する効果が得られやすくなる。一方、該含有量が１８質量％以下であれば、高粘度化が抑制され、液体洗浄剤組成物の洗浄力も向上する。
【００３０】
・（Ｄ）成分
本発明の液体洗浄剤組成物においては、グリコール化合物（Ｄ）をさらに含有することが好ましい。該（Ｄ）成分を含有することにより、泡吐出容器の泡吐出ポンプにおけるノズル口詰まりの防止効果が得られる。かかる効果が得られる理由としては、泡吐出容器を継続して使用した際のノズル口において残存した乾燥物（液体洗浄剤組成物）が、（Ｄ）成分を含有することにより軟らかくなり、固まりにくくなるためと推測される。
（Ｄ）成分として具体的には、エチレングリコール、プロピレングリコール、ポリエチレングリコール、ポリプロピレングリコール等が挙げられ、本発明の効果、液体洗浄剤組成物の安定性の観点から、プロピレングリコール、ポリエチレングリコールが好ましい。
（Ｄ）成分は、１種または２種以上混合して用いることができる。
（Ｄ）成分の含有量は、液体洗浄剤組成物中、１５質量％以下であることが好ましく、２〜１２質量％であることがより好ましい。該含有量が１５質量％以下であれば、前記ノズル口詰まりの防止効果が充分に得られる。
【００３１】
・（Ｅ）成分
本発明の液体洗浄剤組成物においては、マグネシウム化合物（Ｅ）をさらに含有することが好ましい。該（Ｅ）成分を含有することにより、特に油性汚れに対する洗浄力が向上する。また、後述する（Ｆ）成分との併用により、本発明の液体洗浄剤組成物を、塩素系漂白剤または塩素系漂白剤含有洗剤と混合した場合、塩素ガスの発生を抑制することが可能となる。
（Ｅ）成分としては、マグネシウムを含む次に例示の化合物、すなわち、水酸化物、塩化物、酢酸塩、ギ酸塩、酸化物、炭酸塩、硫酸塩、または硝酸塩が挙げられ、硫酸マグネシウムがより好ましい。
（Ｅ）成分は、１種または２種以上混合して用いることができる。
（Ｅ）成分の含有量は、液体洗浄剤組成物中、０．０２〜３質量％であることが好ましく、０．０５〜２質量％であることがより好ましく、０．１〜１質量％であることがさらに好ましい。該含有量が０．０２質量％以上であれば、特に油性汚れに対する洗浄力が向上する。該含有量が３質量％以下であれば、充分な洗浄力が得られる。また、（Ｆ）成分と併用する場合、前記塩素ガス発生の抑制効果がより向上する。
なお、該含有量は、無水塩としての含有量を示すものとする。
【００３２】
・（Ｆ）成分
本発明の液体洗浄剤組成物においては、スルファミン酸（Ｆ）をさらに含有することが好ましい。該（Ｆ）成分と前記（Ｅ）成分との併用により、本発明の液体洗浄剤組成物を、塩素系漂白剤または塩素系漂白剤含有洗剤と混合した場合、塩素ガスの発生を抑制することが可能となる。
（Ｆ）成分の含有量は、液体洗浄剤組成物中、０．０１〜１質量％であることが好ましく、０．０５〜１質量％であることがより好ましい。該含有量が０．０１質量％以上であれば、前記塩素ガス発生の抑制効果が向上する。該含有量が１質量％以下であれば、（Ｅ）成分とのバランスをとることができ、充分な塩素ガス発生の抑制効果が得られる。
【００３３】
本発明の液体洗浄剤組成物においては、（Ｅ）成分と（Ｆ）成分とを併用することが好ましい。（Ｅ）成分と（Ｆ）成分とを併用することにより、高い洗浄力および塩素ガス発生の抑制効果のいずれも得られる。
液体洗浄剤組成物中の（Ｅ）成分と（Ｆ）成分との混合割合は、（Ｅ）成分を０．０２〜３質量％と、スルファミン酸（Ｆ）を０．０１〜１質量％とを混合することが好ましい。
また、（Ｅ）成分と（Ｆ）成分との混合割合は、質量比で（Ｅ）成分／（Ｆ）成分＝０．５／１〜１０／１であることが好ましく、１／１〜６／１であることがより好ましい。該範囲であれば、高い洗浄力がより発現されやすく、前記塩素ガス発生の抑制効果がより向上する。
【００３４】
・任意成分
本発明の液体洗浄剤組成物には、本発明の効果を損なわない範囲で、その目的や用途に応じて、種々の任意成分を配合することが可能である。
【００３５】
配合可能な界面活性剤としては、ポリオキシアルキレンアルキルエーテル、脂肪酸ポリオキシアルキレンアルキルエーテル、脂肪酸アルカノールアミド、脂肪酸アルカノールグルカミド、アルキルポリグルコシド、アルキルグリセリルエーテル、ショ糖脂肪酸エステル等の非イオン性界面活性剤が挙げられる。液体洗浄剤組成物中の配合量は０〜２０質量％であることが好ましい。
さらに、アルキル酢酸ベタイン、アルカノールアミドプロピル酢酸ベタイン、アルキルイミダゾリン、アルキルアラニン等の双性または両性界面活性剤；アルキルトリメチルアンモニウム塩、ジアルキルジメチルアンモニウム塩、アルキルピリジニウム塩等のカチオン性界面活性剤が挙げられる。
【００３６】
また、安息香酸塩等の芳香族カルボン酸、ブチルカルビトール等の水溶性溶剤；グリコール酸、乳酸、りんご酸、クエン酸、酒石酸、グルコン酸等のヒドロキシカルボン酸；シュウ酸、マロン酸、コハク酸、フマル酸等の多価カルボン酸；エチレンジアミン四酢酸、ニトリロ酢酸、ヒドロキシエチルエチレンジアミン三酢酸、ジエチレントリアミン五酢酸、トリエチレンテトラミン六酢酸等のアミノカルボン酸；ポリアクリル酸、ポリマレイン酸、ポリアクリル酸／ポリマレイン酸の共重合体等の高分子型カルボン酸型キレート剤；硫酸ナトリウム、硫酸マグネシウム等の無機ビルダー；着色剤、酸化防止剤、防腐剤、殺菌剤、除菌剤、消炎剤、薬効成分、香料、天然抽出物等の液体洗浄剤組成物に通常配合される成分も好適に配合可能である。
【００３７】
以上説明した本発明の液体洗浄剤組成物は、５℃での粘度が１５０〜２７０ｍＰａ・ｓであり、１５０〜２４０ｍＰａ・ｓであることが好ましい。５℃での粘度が前記範囲であることにより、良好な泡立ちが得られ、スポンジになじみやすい泡の形成が可能となる。また、より良好な洗浄力が得られる。
該粘度が１５０ｍＰａ・ｓ以上であると、スポンジに広がり、スポンジになじみやすい泡が形成され、洗浄時の泡もち（泡持続性）が良好となって洗浄力に優れる。一方、該粘度が２７０ｍＰａ・ｓ以下であれば、泡立ち、泡の質、スポンジへのなじみやすさ等が良好な泡が得られる。
本発明者らの検討（牛脂とオリーブオイルとを混合した油性汚れに対する洗浄力評価）によると、上記のような、泡吐出容器から吐出される「スポンジになじみやすい泡」は、液体洗浄剤組成物を液状のままスポンジにとって、該スポンジを揉んで泡立てた泡と比較しても高い洗浄力を発揮することが確認されている。
一方、５℃での粘度が１５０ｍＰａ・ｓ未満では、スポンジに広がらず、スポンジ面にムース状の硬い泡が載っているような状態となり、スポンジになじみにくい泡となってしまう。２７０ｍＰａ・ｓを超えると、泡形成が不良であり、泡吐出容器からの吐出時に液体洗浄剤組成物が飛散してしまう。
【００３８】
ただし、「５℃での粘度」とは、ブルックフィールド（Ｂｒｏｏｋ  ｆｉｅｌｄ）粘度計（芝浦システム社製、製品名：デジタルビストメトロン  ＶＤＡ）を使用して測定される値を示す。すなわち、液体洗浄剤組成物１０５ｇを、ガラス瓶（広口規格びん、商品名：ＰＳ−Ｎｏ．１１）に充填して密閉し、５℃に調温された恒温水槽で１時間放置する。これとは別のガラス瓶に、水を満たして１号ローターを入れ、同様に５℃に調温された恒温水槽で１時間放置する。その後、１号ローターを取り出し、水を拭き取り、該１号ローターを空気が入らないように液体洗浄剤組成物に差し込み、３０ｒｐｍの条件にて１分後の粘度（ｍＰａ・ｓ）を測定する。
【００３９】
また、本発明の液体洗浄剤組成物は、引火点が４０℃以上である。引火点が４０℃以上であれば、品質上、安全な液体洗浄剤組成物が得られる。
液体洗浄剤組成物の引火点は、（Ｃ）成分として選択する成分、その含有量により調整できる。
ただし、「引火点」とは、「Ｓｔａｎｄａｒｄ  Ｔｅｓｔ  Ｍｅｔｈｏｄ  ｆｏｒ  Ｆｌａｓｈ  Ｐｏｉｎｔ  ｏｆ  Ｌｉｑｕｉｄｓ  ｂｙ  Ｓｅｔａｆｌａｓｈ  Ｃｌｏｓｅｄ−Ｃｕｐ  Ａｐｐａｒａｔｕｓ」（ＡＳＴＭ  Ｄ３２７８−１９８２）に規定するＳＥＴＡ密閉式引火点測定装置を使用し、消防法の危険物確認の方法に従って測定される値を示す。
【００４０】
また、本発明の液体洗浄剤組成物においては、（Ｂ）成分が該液体洗浄剤組成物のｐＨによって電荷変化を生じ、（Ａ）成分との相互作用が変化する場合があるため、ｐＨを調整することが好ましい。
該液体洗浄剤組成物のｐＨとしては、２５℃で５．５〜７．５であることが好ましく、６〜７であることがより好ましい。ｐＨが５．５以上であると、（Ａ）成分と（Ｂ）成分との相互作用が強くなりすぎることなく適度な強さに調整でき、ゲル化または固化の発生が抑制される。一方、ｐＨが７．５以下であれば、該相互作用が弱くなりすぎることなく適度な強さに調整でき、洗浄性能の向上効果が得られやすくなる。
【００４１】
＜泡吐出容器＞
本発明の液体洗浄剤組成物は、内容液を収容する容器本体と、前記容器本体に収容される内容液と空気とを１／５〜１／１０の体積比（内容液／空気）で混合し、かつ内容液を泡状に吐出させる泡吐出ポンプとを備える泡吐出容器に収容される。
該泡吐出容器としては、３０〜３００ｍｅｓｈの目開きの泡形成用の網状部材を有する前記泡吐出ポンプを備える前記泡吐出容器に収容されることが好ましい。
該泡吐出容器を使用すると、本発明の液体洗浄剤組成物を吐出させた場合に低温条件でも良好な泡立ちおよび泡の質が得られ、また、洗浄力にも優れた泡を作ることができる。
【００４２】
本発明にかかる泡吐出容器の構成及びその動作について説明する。
該泡吐出容器は、図１に示すように、内容液を収容する容器本体１の口頸部１ａに取り付けられた泡吐出ポンプ１０を備え、この泡吐出ポンプ１０により容器本体１に収容された内容液を泡状にして吐出する、いわゆるノンエアゾール型の泡吐出ポンプ付き容器である。
【００４３】
泡吐出ポンプ１０は、例えば容器本体１の口頸部１ａに着脱自在に装着された装着キャップ２を介して容器本体１に取り付けられている。また、泡吐出ポンプ１０は、この装着キャップ２の下面から容器本体１の内部に向かって垂下されるシリンダ部材１１を備えている。
【００４４】
シリンダ部材１１は、装着キャップ２の下面に取り付けられた環状のフランジ部１２と、このフランジ部１２から垂下された略円筒状の空気用シリンダ１３と、この空気用シリンダ１３よりも小径且つ空気用シリンダ１３の底部中央から同心円状に垂下された略円筒状の液用シリンダ１４とを有している。また、液用シリンダ１４の下端には、容器本体１に収容された内容液を吸い込む吸込パイプ１５が接続されており、この吸込パイプ１５の下端は、容器本体１の底部まで延びている（図示せず）。
【００４５】
装着キャップ２は、このシリンダ部材１１を容器本体１の内部に挿入し、口頸部１ａ上に配置したパッキン３の上にフランジ部１２を当接させた状態で口頸部１ａの外周部に螺合により装着されている。
【００４６】
泡吐出ポンプ１０は、この泡吐出ポンプ１０を動作させる作動部材２０として、液用シリンダ１４内に配置されたコイルスプリング２２により上方に付勢された状態で上下方向に移動可能に支持された筒状のピストンガイド２１と、このピストンガイド２１の上端部に接続されると共に装着キャップ２の中央に設けられた筒状部２ａから上方に向かって突出されたステム２３と、このステム２３の先端部に配置されたノズルヘッド２４とを有している。
【００４７】
ピストンガイド２１は、その下端に液用シリンダ１４の内周面と液密に摺動される液用ピストン２５を有している。また、ピストンガイド２１には、液吸入弁となるポペット２６が挿入されている。ポペット２６は、逆止弁として機能するものであり、その下端に液用シリンダ１４に形成された弁座１４ａに対して着座及び離間可能とされた下部弁体２６ａと、その上端にピストンガイド２１に形成された弁座２１ａに対して着座及び離間可能とされた上部弁体２６ｂとを有している。また、下部弁体２６ａの上方には、外方に突出する複数の係合ピン２６ｃが設けられており、この係合ピン２６ｃは、液用シリンダ１４に設けられた複数の縦リブ１４ｂの間に上下動可能に挿入されている。また、ポペット２６の外周面には、液流路となる縦溝２６ｄが複数形成されている。
【００４８】
一方、ピストンガイド２１の内周面には、弁座２１ａの上方において上下方向に延びる複数の縦リブ２１ｂが設けられている。この縦リブ２１ｂの内側は、ピストンガイド２１が下降した際に、ポペット２６の上部弁体２６が進入可能とされており、その際に縦リブ２１ｂとポペット２６の縦溝２６ａとの間が液流路となる。
【００４９】
ピストンガイド２１の外周面には、外方に張り出す環状のフランジ部２１ｃが形成されており、このフランジ部２１ｃの上面には、環状の起立壁２１ｄが上向きに突出形成されている。また、ピストンガイド２１の外周部には、空気用シリンダ１３の内周面と気密に摺動される空気用ピストン２７が取り付けられている。
【００５０】
空気用ピストン２７は、ピストンガイド２１を挿通させる基筒部２７ａと、空気用シリンダ１３の内周面に摺接されるシール筒部２７ｂと、基筒部２７ａとシール筒部６１との間で段付き形成された段付き部２７ｃとを有し、ピストンガイド２１に対して僅かに上下動可能に配置されている。空気用ピストン２７の基筒部２７ａは、ピストンガイド２のフランジ部２１ｃよりも上方に位置しており、その上部がステム２３の内周面と気密に摺動可能となっている。
【００５１】
また、空気用ピストン２７の基筒部２７ａと段付き部２７ｃとの間には、外部の空気が流入される空気流入孔２８が設けられている。この空気流入孔２８は、空気用ピストン２７及びステム２３の上下動によって開閉可能とされている。すなわち、空気用ピストン２７及びステム２３の上下動によって、ステム２３の下端が基筒部２７ａと段付き筒部２７ｃとの間に当接されると空気流入孔２８が閉塞され、離間すると空気流入孔２８が開放される。
【００５２】
さらに、空気用ピストン２７の基筒部２７ａには、空気吸入弁２９が取り付けられている。この空気吸入弁２９は、逆止弁として機能するものであり、基筒部２７ａと段付き部２７ｃとの間に位置してその下端から上向きに広がる環状のダイアフラム２９ａを有している。このダイアフラム２９ａは、通常はその外周縁部が段付き部２７ｃの下面に当接して空気シリンダ１３を閉塞しており、空気シリンダ１３内に負圧が発生したときに、下方に弾性変形することによって外周縁部が段付き部２７ｃの下面から離間して空気シリンダ１３を開放する。なお、この空気吸入弁２９は、例えば図３に示すように、上述したステム２３の下端が基筒部２７ａと段付き筒部２７ｃとの間で空気流入孔２８を開閉する構成の場合には、省略することも可能である。
【００５３】
空気用ピストン２７は、その上下動によって基筒部２７ａの下端がピストンガイド２１の起立壁２１ｄの内側と接離可能となっている。そして、ピストンガイド２１の基筒部２７ａと摺接される外周面には、上下方向に延びる複数の縦溝３０が設けられている。この縦溝３０は、空気用シリンダ１３内の空気を後述する混合室３１へと導く空気流路を形成するものであり、基筒部２７ａの下端がピストンガイド２１の起立壁２１ｄから離間したときに空気用シリンダ１３との間で連通され、基筒部２７ａの下端が起立壁２１ｄに当接したときに空気用シリンダ１３との間で遮断される。
【００５４】
ピストンガイド２１の内側上部には、空気用シリンダ１３から空気流路を通して供給される空気と液用シリンダ１４から液流路を通して供給される内容液とが混合される混合室３１が設けられている。この混合室３１は、略円筒状の内部形状を有し、その下面中央には、液用シリンダ１４から圧送された内容液が流入される液流入口３１ａが設けられ、その上面中央には、空気と混合された内容液が流出される液流出口３１ｂが設けられている。
【００５５】
混合室３１には、図２に拡大して示すように、液流入口３１ａを開閉する液流入弁３２が設けられている。この液流入弁３２は、逆止弁として機能するものであり、液流入口３１ａに設けられた弁座３３と、この弁座３３に対して着座及び離間可能に設けられた弁体３４とを有している。弁座３３は、液流入口３１ａの周囲を囲む位置から上方に向かって突出され円筒状の突起部であり、その上端面が外側から内側に向かって下降したテーパー面を形成することによって、弁体３４が着座される座面３３ａを形成している。弁体３４は、弁座３３の座面３３ａに対して着座及び離間可能とされた球体であり、混合室３１に供給された内容液と空気とを撹拌するように混合室３１内で移動可能となっている。
【００５６】
コイルスプリング２２は、図１に示すように、液用シリンダ１４内における液用ピストン２５と縦リブ１４ｂとの間に圧縮された状態で配置されており、液用ピストン２５を上方に向かって付勢している。また、コイルスプリング２２の下端は、ポペット２６の係合ピン２６ｃに下方から掛止可能となっており、これにより、ポペット２６の上方移動時の上限を規制している。
【００５７】
ステム２３は、装着キャップ２の筒状部２ａに挿入されると共に、ピストンガイド２１の上端部を内側に嵌合させた状態でピストンガイド２１と連結されている。これにより、ステム２３は、混合室３１の液流出口３１ｂと連通される流路を形成すると共に、ピストンガイド２１と一体に上下方向に移動可能となっている。また、筒状部２ａの内周面には、外部の空気を空気流入孔２８へと導くための外気導入用の縦リブ３５が複数設けられている。
【００５８】
ステム２３の内部には、ピストンガイド２１の上端部の内側に嵌合されるジェットリング３６と、このジェットリング内に配置された２つのメッシュリング３７ａ，３７ｂとが設けられている。このうち、ジェットリング３６のピストンガイド２１に嵌合される嵌合部３６ａには、上述した混合室３１の液流出口３１ｂが形成されている。また、図２に拡大して示すように、ジェットリング３６とピストンガイド２１との間に形成された隙間３８によって、上述した空気用シリンダ１２から流出された空気を混合室３１へと導く空気流路が形成されている。また、嵌合部３６ａの内側には、複数の縦溝３６ｂが形成されており、混合室３１内の弁体３４が嵌合部３６の下端に当接した場合でも、空気と混合された内容液を縦溝３６ｂを通じて液流出口３１ｂから流出することが可能となっている。
【００５９】
メッシュリング３７ａ，３７ｂは、図１に示すように、混合室３１内で空気と混合された内容液を発泡させるための発泡用部材であり、下部側のメッシュリング３７ａは、筒状部材の下部開口部に、泡形成用の網状部材が取り付けられ、上部側のメッシュリング３７ｂは、筒状部材の上部開口部に該網状部材が取り付けられた構造を有している。なお、筒状部材に対する網状部材の配置については、両端開口部のいずれか一方のみに配置する構成に限らず、両方に配置することも可能である。また、メッシュリング３７ａ，３７ｂを３７ａのみの構成にすることも可能である。
網状部材の目開きの大きさとしては、３０〜３００ｍｅｓｈが好ましく、５０〜１２０ｍｅｓｈがより好ましい。網状部材の目開きの大きさが前記範囲であると、特に低温での泡形成性（泡立ち、泡の質）がより向上する。また、網状部材の枚数も１枚であることが泡形成性、ポンプの押し圧の点から好ましい。
【００６０】
ノズルヘッド２４は、ステム２３の上端部にステム２３と一体に設けられたヘッド部２４ａと、このヘッド部２４ａの側面から延長された泡吐出口となるノズル部２４ｂとを有している。このうち、ヘッド部２４ａは、押圧操作される部分であり、その内側にステム２３からノズル部２４ｂへと内容液を導く流路２４ｃが設けられている。ノズル部２４ｂは、この流路２４ｃと連通されると共に、ヘッド部２４ａの側面部からほぼ水平方向に延長され、その先端部が下方に向かって僅かに屈曲した細長形状を有している。また、ヘッド部６の下面からは、筒状部１ａの周囲を囲む外側筒部２４ｄが垂下されており、この外側筒部２４ｄの下端にはリング部材３９が嵌め込まれている。なお、装着キャップ２の筒状部２ａには、ノズルヘッド２４の押圧方向の移動を係止するストッパー４０が着脱可能となっている。
【００６１】
以上のような構造を有する泡吐出容器では、ノズルヘッド２４を押圧操作する前の状態では、図１に示すように、ノズルヘッド２４が上方に位置しており、この状態において、ポペット２６は、コイルスプリング２２より上方に付勢されたピストンガイド２１よって押し上げられ、下部弁体２６ａが液用シリンダ１４の弁座１４ａから離間している。これにより、液用シリンダ１４は、吸込パイプ１５通じて容器本体１の内部と連通した状態となっている。一方、ポペット２６の上部弁体２６ｂは、ピストンガイド２１の弁座２１ａに着座しており、このピストンガイド２１の上部開口を閉塞している。
【００６２】
空気用ピストン２７は、図３中の中心線に対して左半分側で示されるように、基筒部２７ａの下端がピストンガイド２１の起立壁２１ｄの内側と当接することによって、空気用シリンダ１３と縦溝３０との間を遮断している。一方、ステム２３の下端が空気用ピストン２７の基筒部２７ａと段付き筒部２７ｃとの間から離間することによって空気流入孔２８を開放している。また、空気吸入弁２９は、空気用ピストン２７の段付き部２７ｃにダイヤフラム２９の外周縁部が当接されることによって、空気シリンダ１３を閉塞している。  
【００６３】
この状態から、作動部材２０であるノズルヘッド２４を押圧操作してステム２３及びピストンガイド２１をコイルプスリング２４の付勢力に抗して押し下げると、液用ピストン２５及び空気用ピストン２７が一体となって下降する。このとき、ポペット２６の上部弁体２６ｂがピストンガイド２１の弁座２１ａから離間して、このピストンガイド２１の上部開口を開放する。また、下降する液用ピストン２５により液用シリンダ１４内が加圧されると、この液用シリンダ１４内で加圧された内容液がポペット２６を押圧して下降させる。これにより、ポペット２６の下部弁体２６ａが液用シリンダ１４の弁座１４ａに着座して、液用シリンダ１４の下部開口を閉塞する。
【００６４】
一方、空気用ピストン２７は、ノズルヘッド２４の押し下げ開始直後はシール筒部２７ｂと空気用シリンダ１３との摩擦力によって停止しており、その状態でピストンガイド２１が下降することによって、図３中の中心線に対して右半分側で示されるように、基筒部２７ａの下端がピストンガイド２１の起立壁２１ｄから離間し、空気用シリンダ１３と縦溝３０との間が連通された状態となる。一方、ステム２３の下端が空気用ピストン２７の基筒部２７ａと段付き筒部２７ｃとの間に当接されることによって空気流入孔２８を閉塞する。そして、この空気用ピストン２７は、ステム２３の下端が当接された以降はピストンガイド２１と一体となって下降する。
【００６５】
下降する液用ピストン２５により液用シリンダ１４内で加圧された内容液は、液流入弁３１の弁体３４を押圧して、この弁体３４を弁座３３から離間させる。これにより、液用シリンダ１４内で加圧された内容液が液流入口３１ａを通って混合室３１に流入することになる。一方、下降する空気用ピストン２７により空気用シリンダ１５内で加圧された空気は、縦溝３０及び隙間３８によって形成された空気流路を通って混合室３１に流入することになる。
【００６６】
混合室３１内では、供給された内容液と空気とが撹拌されて、この空気と混合された内容液が液流出口３１ｂを通ってステム２３側へと送られる。そして、ジェットリング３６及び１つもしくは２つのメッシュリング３７ａ，３７ｂを通過した内容液は、発泡されて泡状となり、ノズルヘッド２４の流路２４ｃを通ってノズル部２４ｂの先端部から吐出される。
【００６７】
内容液と空気との体積比（内容液／空気）は、１／５〜１／１０であることが好ましい。
該体積比（内容液／空気）において、内容液１に対する空気の割合が５以上であることにより、適度な泡の量が得られるようになって泡立ちが良好となる。一方、内容液１に対する空気の割合が１０以下であることにより、泡のキメ等が均一となり、均質な泡が得られ、かつスポンジになじみにやすい泡が得られる。
本発明において、「内容液と空気との体積比（内容液／空気）」とは、混合室３１内へ供給される内容液の体積と、空気の体積との混合比率を意味する。
混合室３１内へ供給される内容液の体積量は、液用シリンダ１４部分の内径を調整することにより制御できる。
混合室３１内へ供給される空気の体積量は、空気用シリンダ１３の内径を調整することにより制御できる。
【００６８】
一方、押し下げられたノズルヘッド２４に対する押圧を解除すると、ステム２３及びピストンガイド２１がコイルプスリング２２の付勢力により押し上げられて、液用ピストン２５及び空気用ピストン２７が一体となって上昇する。このとき、混合室３１及び液用シリンダ１４内に負圧が発生することによって、液流入弁３１の弁体３４が弁座３３に着座して液流入口３１ａを閉塞する。また、液用シリンダ１４内に発生した負圧によってポペット２６が引き上げられると、下部弁体２６ａが液用シリンダ１４の弁座１４ａから離間する。これにより、容器本体１内にある内容液が吸込パイプ１５通じて液用シリンダ１４内へと吸い上げられる。
【００６９】
一方、空気用ピストン２７は、ノズルヘッド２４の上昇直後はシール筒部２７ｂと空気用シリンダ１３との摩擦力によって停止しており、その状態でピストンガイド２１が上昇することによって、基筒部２７ａの下端がピストンガイド２１の起立壁２１ｄと当接し、空気用シリンダ１３と縦溝３０との間を遮断する。一方、ステム２３の下端が空気用ピストン２７の基筒部２７ａと段付き筒部２７ｃとの間から離間されることによって空気流入孔２８を開放する。そして、この空気用ピストン２７は、基筒部２７ａの下端が起立壁２１ｄの内側と当接された以降はピストンガイド２１と一体となって上昇する。
【００７０】
また、空気用ピストン２７の上昇に伴って、空気用シリンダ１３内に負圧が発生する。これにより、空気吸入弁２９は、空気用ピストン２７の段付き部２７ｃからダイヤフラム２９の外周縁部が下方に弾性変形することによって段付き部２７ｃから離間し、空気シリンダ１３を開放する。また、ステム２３の下端が空気用ピストン２７の基筒部２７ａと段付き筒部２７ｃとの間から離間することによって空気流入孔２８を開放する。
【００７１】
また、容器本体１内にある内容液が吸込パイプ１５通じて液用シリンダ１４内へと吸い上げられると、容器本体１内に負圧が発生する。これにより、外気が筒状部２ａの縦リブ３５の間から吸い込まれて、一部の空気が空気流入孔２８を通って空気用シリンダ１３内に入ると共に、残りの空気が容器本体１内に入ることになる。
【００７２】
以上のようにして、この泡吐出容器では、ノズルヘッド２４に対する押圧を解除することによって、押し下げられたノズルヘッド２４が再び元の位置へと戻ることになる。したがって、この泡吐出容器では、ノズルヘッド２４に対する押圧操作を繰り返し行うことができ、このような押圧操作によって容器本体１の内部に収容された液体を泡状にしてノズル部２４ｂから定量的に吐出させることができる。
【００７３】
以上説明した、上記泡吐出容器に収容される本発明の液体洗浄剤組成物によれば、泡吐出容器から吐出させた場合に低温条件でも良好な泡立ちおよび泡の質が得られ、優れた洗浄力が得られる。
また、本発明の液体洗浄剤組成物によれば、該液体洗浄剤組成物を、スポンジ上に、泡吐出容器から吐出させた場合、スポンジに広がり、スポンジになじみやすい泡をつくることができる。
【００７４】
また、本発明の液体洗浄剤組成物は、泡吐出容器のノズル口詰まりの防止効果が良好であるため、継続して使い続けても該ノズル口が詰まりにくいものである。
また、本発明の液体洗浄剤組成物は、特にタッパ容器等に付着した、落ちにくい油性汚れに対する洗浄力が良好である。
【００７５】
住居内においては、優れた漂白力を有することから、次亜塩素酸ナトリウム等の次亜塩素酸塩を含有する、衣料用漂白剤、台所用漂白剤、カビ取り剤、トイレ用洗浄剤、排水パイプ用洗浄剤、消毒用洗浄剤等の塩素系漂白剤または塩素系漂白剤含有洗剤が数多く使用されている。
従来、多価金属イオンを含有する液体洗浄剤組成物は、上記の塩素系漂白剤または塩素系漂白剤含有洗剤と混合した場合、塩素ガスが多量に発生するという安全上の問題があった。
本発明の液体洗浄剤組成物によれば、塩素系漂白剤または塩素系漂白剤含有洗剤と混合しても、塩素ガスの発生を抑制することができる。
【００７６】
本発明の泡吐出容器に収容される液体洗浄剤組成物は、特に硬質表面を対象とする洗浄用途に好適なものであり、なかでも食器、調理器具等を対象とする台所用液体洗浄剤組成物として最も好適なものである。
本発明にかかる泡吐出容器に収容された液体洗浄剤組成物（台所用液体洗剤製品）は、該液体洗浄剤組成物をスポンジ上に泡状に吐出させて、汚染した皿を連続して洗浄した場合、従来のものに比べて、多くの皿を洗浄することができ、また、泡もち（泡持続性）に優れたものである。
【実施例】
【００７７】
以下に実施例を用いて本発明をさらに詳しく説明するが、本発明はこれら実施例に限定されるものではない。なお、「％」は特に断りがない限り「質量％」を示す。
【００７８】
＜液体洗浄剤組成物の製造＞
表１〜３に示す組成に従って各例の液体洗浄剤組成物を、常法に準じて、各成分を混合することにより製造した。
なお、表１〜３中の配合量の単位は質量％であり、純分換算量を示す。ただし、硫酸マグネシウムおよび硫酸亜鉛は、それぞれ７水塩（有り姿）としての配合量を示す。
また、液体洗浄剤組成物は、水酸化ナトリウムまたは硫酸により、該液体洗浄剤組成物のｐＨ（２５℃）を６．６に調整した後、総量が１００質量％となるように水量をバランスした。下記に、表中に示した成分について説明する。
【００７９】
・（Ａ）成分
ＳＡＳ：第２級アルカンスルホン酸ナトリウム（クラリアントジャパン（株）製、商品名：ＨＯＳＴＡＰＵＲ  ＳＡＳ  ６０）。
【００８０】
ＮＲＥＳ：炭素数１２〜１３ポリオキシエチレンアルキルエーテル硫酸ナトリウム〔エチレンオキサイドの平均付加モル数２（ナロー率７８質量％）、原料アルコール：Ｓａｆｏｌ２３アルコール（商品名、サソール社製、炭素数１２の炭化水素基と炭素数１３の炭化水素基との混合割合：Ｃ１２／Ｃ１３＝６／４（質量比）、分岐率５０質量％、中間鎖分岐率８５質量％）〕。
【００８１】
（ＮＲＥＳの製造）
４Ｌのオートクレーブ中に、Ｓａｆｏｌ２３アルコール４００ｇと、特許第３３１２８８３号公報に記載のＡｌ／Ｍｇ／Ｍｎで構成される複合金属酸化物ルイス酸焼結固体触媒０．４ｇとを仕込み、オートクレーブ内を窒素置換し、撹拌しながら昇温した。その後、温度１８０℃、圧力０．３ｍＰａに維持しながらエチレンオキサイド１８４ｇを導入し、エチレンオキサイドの平均付加モル数２の反応物を得た。また、そのエチレンオキサイド付加モル数分布は、ＨＰＬＣにより下記条件＊１で測定した結果、ナロー率７８質量％であった。
次に、上記で得られたアルコールエトキシレート２８０ｇを、撹拌装置付の５００ｍＬフラスコにとり、窒素置換後、液体無水硫酸（サルファン）７８ｇを反応温度４０℃に保ちながらゆっくりと滴下した。滴下終了後、１時間撹拌を続け（硫酸化反応）、ポリオキシエチレンアルキルエーテル硫酸を得た。次いで、該ポリオキシエチレンアルキルエーテル硫酸を水酸化ナトリウム水溶液で中和してポリオキシエチレンアルキルエーテル硫酸ナトリウム（ＮＲＥＳ）を得た。
【００８２】
ＢＲＥＳ：炭素数１２〜１３ポリオキシエチレンアルキルエーテル硫酸ナトリウム〔エチレンオキサイドの平均付加モル数２（ナロー率３３質量％）、原料アルコール：Ｎｅｏｄｏｌ２３アルコール（商品名、シェルケミカルズ社製、Ｃ１２／Ｃ１３＝１／１（質量比）、分岐率２０質量％、中間鎖分岐率０質量％）〕。
【００８３】
（ＢＲＥＳの製造）
４Ｌのオートクレーブ中に、Ｎｅｏｄｏｌ２３アルコール４００ｇと、水酸化カリウム触媒０．８ｇとを仕込み、オートクレーブ内を窒素置換し、撹拌しながら昇温した。その後、温度１８０℃、圧力０．３ｍＰａに維持しながらエチレンオキサイド１８４ｇを導入し、エチレンオキサイドの平均付加モル数２の反応物を得た。また、そのエチレンオキサイド付加モル数分布は、ＨＰＬＣにより下記条件＊１で測定した結果、ナロー率３３質量％であった。
次に、上記で得られたアルコールエトキシレート２８０ｇを、撹拌装置付の５００ｍＬフラスコにとり、窒素置換後、液体無水硫酸（サルファン）７８ｇを反応温度４０℃に保ちながらゆっくりと滴下した。滴下終了後、１時間撹拌を続け（硫酸化反応）、ポリオキシエチレンアルキルエーテル硫酸を得た。次いで、該ポリオキシエチレンアルキルエーテル硫酸を水酸化ナトリウム水溶液で中和してポリオキシエチレンアルキルエーテル硫酸ナトリウム（ＢＲＥＳ）を得た。
【００８４】
＊１：エチレンオキサイドの平均付加モル数分布の測定条件
装置    ：ＬＣ−６Ａ（（株）島津製作所製)
検出器  ：ＳＰＤ−１０Ａ
測定波長：２２０ｎｍ
カラム  ：Ｚｏｒｂａｘ  Ｃ８  （Ｄｕ  Ｐｏｎｔ（株）製）
移動相  ：アセトニトリル／水＝６０／４０（体積比）
流速    ：１ｍＬ／ｍｉｎ
温度    ：２０℃
【００８５】
・（Ｂ）成分
アミンオキサイド：炭素数１２アルキルジメチルアミンオキサイド（ライオンアクゾ社製、商品名：アロモックスＤＭ１２Ｄ−Ｗ）。
【００８６】
・（Ｃ）成分
エタノール：エタノール（純正化学（株）製、試薬特級）。
クメンスルホン酸Ｎａ：クメンスルホン酸ナトリウム（テイカ（株）製、商品名：テイカトックスＮ５０４０）。
【００８７】
・（Ｄ）成分
ＰＥＧ：ポリエチレングリコール（分子量１０００）（ライオン（株）製、商品名：ＰＥＧ＃１０００）。
プロピレングリコール：プロピレングリコール（純正化学（株）製、試薬特級）。
【００８８】
・（Ｅ）成分
硫酸マグネシウム：ＭｇＳＯ４・７水塩（赤穂化成（株））。
【００８９】
・（Ｆ）成分
スルファミン酸：スルファミン酸（扶桑化学工業社製）。
【００９０】
・任意成分
硫酸亜鉛：ＺｎＳＯ４・７水塩（純正化学（株）製、試薬特級）。
グリコール酸：グリコール酸（デュポン（株）製、商品名：グリピュア７０）。
安息香酸ナトリウム：安息香酸ナトリウム（（株）伏見製薬製）。
香料：特開２００２−３２７１９４号公報に記載の香料組成物Ａ。
【００９１】
＜泡吐出ポンプを有する泡吐出容器の作製＞  
内容液と空気との体積比（内容液／空気）の異なる泡吐出ポンプを備えた泡吐出容器は、ライオン株式会社製のキレイキレイ泡ハンドソープポンプを改造することによって作製した。
すなわち、図１〜３に示される泡吐出容器と同様の機構を備えた泡吐出容器において、シリンダ部材１１の略円筒状の液用シリンダ１４部分の内径を１６．４ｍｍ、１１．８ｍｍ、１０．２ｍｍ、８ｍｍに改造したパーツをそれぞれ作製し、送り込む液量を可変させた。空気用シリンダ１３の直径は３０ｍｍのままで作製した。
その結果、内容液と空気との体積比（内容液／空気）が、１／３、１／６、１／８、１／１３に調整された泡吐出ポンプを備えた泡吐出容器（３００ｍＬ）を作製した。
【００９２】
＜評価＞
各例の液体洗浄剤組成物２５０ｇを、上記で作製された泡吐出容器にそれぞれ収容して、以下に示す方法によって、粘度、引火点、泡立ち、泡の質、スポンジへのなじみやすさ、洗浄力、ノズル口詰まりの防止効果、塩素ガス発生の抑制効果の評価を行い、その結果を表１〜３に併記した。
【００９３】
［粘度の測定］
ブルックフィールド（Ｂｒｏｏｋ  ｆｉｅｌｄ）粘度計（芝浦システム社製、製品名：デジタルビストメトロン  ＶＤＡ）を使用して測定を行った。
各例の液体洗浄剤組成物１０５ｇを、ガラス瓶（広口規格びん、商品名：ＰＳ−Ｎｏ．１１）に充填して密閉し、５℃に調温された恒温水槽で１時間放置した。これとは別のガラス瓶に、水を満たして１号ローターを入れ、同様に５℃に調温された恒温水槽で１時間放置した。その後、１号ローターを取り出し、水を拭き取り、該１号ローターを空気が入らないように液体洗浄剤組成物に差し込み、３０ｒｐｍの条件にて１分後の粘度（ｍＰａ・ｓ）を測定した。
【００９４】
［引火点の測定］
「Ｓｔａｎｄａｒｄ  Ｔｅｓｔ  Ｍｅｔｈｏｄ  ｆｏｒ  Ｆｌａｓｈ  Ｐｏｉｎｔ  ｏｆ  Ｌｉｑｕｉｄｓ  ｂｙ  Ｓｅｔａｆｌａｓｈ  Ｃｌｏｓｅｄ−Ｃｕｐ  Ａｐｐａｒａｔｕｓ」（ＡＳＴＭ  Ｄ３２７８−１９８２）に規定するＳＥＴＡ密閉式引火点測定装置        を使用し、消防法の危険物確認の方法に従って引火点（℃）を測定した。
【００９５】
［泡立ちの評価］
各例の液体洗浄剤組成物が収容された泡吐出容器を、２０℃および５℃のそれぞれの温度に調温された恒温水槽で１時間放置した。その後、５００ｍＬのメスシリンダーに、５０回ポンプ操作を行って吐出し、泡の体積（ｍＬ）を測定した。
【００９６】
［泡の質の評価］
各例の液体洗浄剤組成物が収容された泡吐出容器を、２０℃に調温された恒温水槽で１時間放置した。その後、スポンジの上に吐出した時の「泡の状態」を目視で観察し、下記評価基準に基づいて評価した。図４に、該評価基準となる泡の状態を表す写真を示す。
（評価基準）
◎：キメが細かく、均質な泡が吐出した（図４（ａ）参照）。
○：直径２ｍｍ以上の泡を３個以下含む泡が吐出した（図４（ｂ）参照）。
△：直径２ｍｍ以上の泡を４個以上含む泡が吐出した（図４（ｃ）参照）。
×：飛び散る泡が吐出した（図４（ｄ）参照）。
【００９７】
［スポンジへのなじみやすさの評価］
各例の液体洗浄剤組成物が収容された泡吐出容器を、２０℃に調温された恒温水槽で１時間放置した。その後、スポンジの上に吐出した時の「スポンジへのなじみやすさ」を目視で観察し、下記評価基準に基づいて評価した。図５に、該評価基準となるスポンジへのなじみやすさを表す写真を示す。
なお、スポンジとしては、スコッチブライト（商品名、住友スリーエム株式会社製）を使用した。
（評価基準）
○：スポンジに広がり、スポンジになじみやすい泡が吐出した（図５（ａ）参照）。
×：スポンジに広がらない、ムース状の泡が吐出した（図５（ｂ）参照）。
【００９８】
［洗浄力の評価］
牛脂１ｇを、１０ｃｍ×１５ｃｍのタッパ容器の内表面に均一になるように塗布して激しく汚染させ、疎水表面を調製した。
１１．５ｃｍ×７．５ｃｍ×３ｃｍの食器洗い用スポンジに、３８ｇの水と、２ｇの液体洗浄剤組成物をとり、数回手で揉んだ。その後、前記汚染させたタッパ容器を、通常家庭で行われる条件と同様にして洗浄した。洗浄後、２５℃の水道水でよくすすぎ、その時のタッパ容器における洗浄前に疎水表面であった表面を、手で触ったときの感触により、下記の評価基準に基づき、洗浄力を評価した。◎〜○を合格範囲とした。
（評価基準）
◎：タッパ容器のいずれの部位を触っても、キュキュッと音がするような摩擦感を感じ、牛脂の残留によるぬるつきは全く感じられなかった。
○：タッパ容器の底面および側面を触ると摩擦感を感じ、牛脂の残留によるぬるつきは感じられないが、角の部位には僅かにぬるつきが残っていた。
△：タッパ容器の底面および側面を触ると摩擦感を感じ、牛脂の残留は認められないが、側面や角の部位にぬるつきが残っていた。
×：タッパ容器全体にぬるつきが感じられ、明らかに牛脂が残留していることがわかった。
【００９９】
［ノズル口詰まりの防止効果］
各泡吐出容器に各例の液体洗浄剤組成物を収容し、６０℃で保管し、１日１回ポンプ操作を行って泡吐出容器から吐出させ、９０日後にノズル口の詰まりを目視で観察し、下記基準に基づいて評価した。
（評価基準）
○：詰まっているノズル口の断面の面積の割合が５０％未満であった。
△：詰まっているノズル口の断面の面積の割合が５０％以上８０％未満であった。
×：詰まっているノズル口の断面の面積の割合が８０％以上であった。
【０１００】
［塩素ガス発生の抑制効果の評価］
塩素ガスの発生量を、家庭用品品質表示法測定方法に準拠し、以下のようにして測定した。
（塩素ガス発生量の測定方法）
室温（２０±５℃）にて、容量が約２０Ｌ（φ１４．５ｃｍ×高さ３０．０ｃｍ）の丸形プラスチック合成樹脂製蓋付き容器を用い、塩素ガスの発生量を測定した。
１０ｍＬビーカーに被検液（液体洗浄剤組成物）３ｍＬを取り、この中に、水酸化ナトリウム１質量％と次亜塩素酸ナトリウム５質量％とを含有する水溶液３ｍＬを加え、直ちに蓋をし、マグネティックスターラー（スターラーピース、長さ１ｃｍ)で撹拌した。また、前記容器中のファンにより槽内を送風、撹拌した。５分経過後、光明理化学工業製の北川式ガス検知管（塩素測定用）を備えた１００ｍＬガス採取器（光明理化学工業製、ＡＰ−１）により容器内のガス１００ｍＬを１回吸引し、容器中の塩素ガス濃度を測定した。
得られた数値から、下記式により塩素ガス濃度を算出し、下記基準に基づいて、塩素ガス発生の抑制効果を評価した。○〜△を合格範囲とした。
塩素ガス濃度（ｐｐｍ）＝測定された塩素ガス濃度（ｐｐｍ）÷３×合成樹脂容器の容量（Ｌ）÷２０
（評価基準）
○：塩素ガス濃度が０．６ｐｐｍ未満であった。
△：塩素ガス濃度が０．６ｐｐｍ以上１．０ｐｐｍ以下であった。
×：塩素ガス濃度が１．０ｐｐｍを超える範囲であった。
【０１０１】
【表１】
2008214403.tif 000004
【０１０２】
【表２】
2008214403.tif 000005
【０１０３】
【表３】
2008214403.tif 000006
【０１０４】
表１〜３の結果から、本発明にかかる実施例１〜１８は、泡吐出容器から吐出させた場合に低温条件でも良好な泡立ちおよび泡の質が得られ、洗浄力に優れていることが確認できた。
【０１０５】
また、さらに（Ｄ）成分を含有する実施例７〜１８は、ノズル口詰まりの防止効果が良好であることが確認できた。
また、（Ｅ）成分をさらに含有する実施例１０〜１８は、洗浄力がより良好であることが確認できた。
また、（Ｅ）成分と（Ｆ）成分とをさらに含有する実施例１１〜１８は、塩素ガス発生の抑制効果が良好であることが確認できた。
【図面の簡単な説明】
【０１０６】
【図１】図１は、本発明の液体洗浄剤組成物が収容される泡吐出容器の一例を示す縦断面図である。
【図２】図２は、図１に示す泡吐出容器における泡吐出ポンプの混合室を拡大して示す図であり、図２（Ａ）はその横断面図であり、図２（Ｂ）はその縦断面図である。
【図３】図３は、図１に示す泡吐出容器の動作を説明するための縦断面図である。
【図４】図４は、［泡の質の評価］の評価基準となる泡の状態を表す写真である。
【図５】図５は、［スポンジへのなじみやすさの評価］の評価基準となるスポンジへのなじみやすさを表す写真である。
【符号の説明】
【０１０７】
１…容器本体  ２…装着キャップ  １０…泡吐出ポンプ  １１…シリンダ部材  １３…空気用シリンダ  １４…液用シリンダ  ２０…作動部材  ２１…ピストンガイド  ２２…コイルスプリング  ２３…ステム  ２４…ノズルヘッド  ２５…液用ピストン  ２６…ポペット  ２７…空気用ピストン  ３１…混合室  ３３…弁座  ３４…弁体  ３６…ジェットリング  ３７ａ，３７ｂ…メッシュリング
【図１】
2008214403.tif 000007
【図２】
2008214403.tif 000008
【図３】
2008214403.tif 000009
【図４】
2008214403.tif 000010
【図５】
2008214403.tif 000011